(57)【要約】【課題】電解液注入ホールの密封構造が改善された二次電池及びその製造方法と、二次電池に適用されるキャッププレートとその製造方法、及び密封ユニットを提供する。【解決手段】本発明に係る二次電池は、電極組立体と、電極組立体を収容するケースと、ケース内に電解液を注入するための注入ホールを備え、かつケースをカバーするためのキャッププレートと、注入ホールを密封するための密封ユニットと、を備え、密封ユニットの上端は、キャッププレートの外部面と同一面上に整列されるか、またはキャッププレートの外部面より低く配置されて、キャッププレートの外部面上に突出せず、密封ユニットは、注入ホールに挿入される密封部材と、密封部材上にコーティングされたコーティング部材とを備える。これにより、装置の小型化を具現して体積利用率の向上を図ることができる。【選択図】図２Ｂ
2011086622.tif 000002
【特許請求の範囲】
【請求項１】
電極組立体と、
前記電極組立体を収容するケースと、
前記ケース内に電解液を注入するための注入ホールを備えると共に前記ケースをカバーするためのキャッププレートと、
前記注入ホールを密封するための密封ユニットと、を備え、
前記密封ユニットの上端は、前記キャッププレートの外部面と同一面上に整列されるか、または前記キャッププレートの外部面より低く配置されて、前記キャッププレートの外部面上に突出せず、
前記密封ユニットは、前記注入ホールに挿入される密封部材と、前記密封部材上にコーティングされたコーティング部材と、を備えることを特徴とする二次電池。
【請求項２】
前記キャッププレートは、前記密封ユニットが収容される段差部を備え、
前記段差部は、前記注入ホールの開口部と前記キャッププレートの外部面との間で前記注入ホールの開口部を取り囲み、
前記密封部材は、前記注入ホールに挿入されるボディ部と、前記ボディ部が前記注入ホールに挿入されるとき、前記段差部に密着するように前記ボディ部と一体に形成されたヘッド部と、を備えることを特徴とする請求項１に記載の二次電池。
【請求項３】
前記コーティング部材は、前記密封部材と前記注入ホールとの間の隙間を埋め込むように前記密封部材上に形成されることを特徴とする請求項２に記載の二次電池。
【請求項４】
前記コーティング部材は硬化樹脂を含むことを特徴とする請求項１に記載の二次電池。
【請求項５】
前記段差部は、前記注入ホールの周囲に凹状に形成された陥没溝を備え、
前記密封部材の前記ヘッド部は前記陥没溝に嵌まり込むことを特徴とする請求項２に記載の二次電池。
【請求項６】
前記キャッププレートの外部面上に配置される保護回路モジュールをさらに備えることを特徴とする請求項１に記載の二次電池。
【請求項７】
電解液を注入するための注入ホールが形成されたキャッププレートを用意する工程と、
前記注入ホールの開口部と前記キャッププレートの外部面との間で前記注入ホールの開口部周辺に段差部を形成する工程と、
前記キャッププレートを電極組立体が収容されたケースに結合させる工程と、
前記注入ホールを通じて前記ケース中へ電解液を注入する工程と、
前記キャッププレートの外部面上に突出しないように密封ユニットを前記段差部に設けて前記注入ホールを密封する工程と、を含む二次電池の製造方法。
【請求項８】
前記密封ユニットは密封部材を備え、
前記密封部材は、
前記注入ホールに挿入されるボディ部と、
前記密封部材が前記キャッププレートの外部面上に突出せず、前記段差部に密着するように前記ボディ部と一体に形成されたヘッド部と、を備えることを特徴とする請求項７に記載の二次電池の製造方法。
【請求項９】
前記注入ホールを密封する工程は、前記密封部材と前記注入ホールとの間の隙間を埋め込むコーティング部材を前記密封部材上に塗布する工程を含むことを特徴とする請求項８に記載の二次電池の製造方法。
【請求項１０】
前記コーティング部材が前記キャッププレートの外部面上に突出しないように、前記キャッププレートの外部面上に突出した前記コーティング部材の一部を磨き出す工程をさらに含むことを特徴とする請求項９に記載の二次電池の製造方法。
【請求項１１】
前記密封部材上に塗布する工程は、前記キャッププレートの外部面上に突出しないように前記コーティング部材を前記密封部材上に塗布する工程を含むことを特徴とする請求項９に記載の二次電池の製造方法。
【請求項１２】
前記コーティング部材は硬化樹脂を含むことを特徴とする請求項９に記載の二次電池の製造方法。
【請求項１３】
前記段差部は、前記注入ホール周囲に凹状に形成された陥没溝を備え、
前記密封ユニットが前記段差部内に設けられるとき、前記密封部材の前記ヘッド部は前記陥没溝に嵌まり込み且つ結合されることを特徴とする請求項８に記載の二次電池の製造方法。
【請求項１４】
前記キャッププレートの外部面上に保護回路モジュールを装着する工程をさらに含むことを特徴とする請求項７に記載の二次電池の製造方法。
【請求項１５】
二次電池のケースをカバーするためのキャッププレートの製造方法であって、
前記キャッププレートを貫通して形成された注入ホールの開口部周辺に段差部を形成する工程であって、前記段差部は平坦でない底面を持つように形成され、前記段差部は、前記注入ホールの開口部と前記キャッププレートの外部面との間から延びる段差部を形成する工程と、
密封ユニットを利用して前記開口部を密封する工程と、を含むことを特徴とするキャッププレートの製造方法。
【請求項１６】
前記段差部の前記底面は凹状を持つことを特徴とする請求項１５に記載のキャッププレートの製造方法。
【請求項１７】
前記密封ユニットは、硬化樹脂を含むコーティング部材を備えることを特徴とする請求項１５に記載のキャッププレートの製造方法。
【請求項１８】
二次電池の電極組立体を収容するケースをカバーするためのキャッププレートであって、
電解液を前記ケース内に注入するための注入ホールを持つ部分と、
前記注入ホールの開口部と前記キャッププレートの外部面との間で、前記注入ホールの開口部周辺に形成された段差部と、を備え、
前記段差部は平坦でない底面を持つことを特徴とするキャッププレート。
【請求項１９】
前記段差部の前記底面は凹状を持つことを特徴とする請求項１８に記載のキャッププレート。
【請求項２０】
二次電池のケースをカバーするためのキャッププレートを貫通して形成され、電解液を前記ケース内に注入するための注入ホールを密封するための密封ユニットであって、
前記注入ホールに挿入されるものであって、前記密封ユニットの上端が前記キャッププレートの外部面と同一面上に整列されるか、または前記キャッププレートの外部面より低く配置されて、前記密封ユニットを前記キャッププレートの外部面上に突出させない密封部材と、
前記密封部材と前記注入ホールとの間の隙間を密封するために、前記密封部材上に塗布されたコーティング部材と、を備えることを特徴とする密封ユニット。
【請求項２１】
前記密封部材は、
前記注入ホールに挿入されるボディ部と、
前記ボディ部が前記注入ホールに挿入されるとき、前記キャッププレートの段差部に密着するように前記ボディ部と一体に形成されたヘッド部と、を備え、
前記段差部は前記注入ホールの開口部を取り囲み、前記開口部と前記キャッププレートの外部面との間に位置することを特徴とする請求項２０に記載の密封ユニット。
【請求項２２】
前記ヘッド部の接触面は、前記段差部の凹状に対応する凸状を持つことを特徴とする請求項２１に記載の密封ユニット。
【請求項２３】
前記コーティング部材は硬化樹脂を含むことを特徴とする請求項２０に記載の密封ユニット。
【発明の詳細な説明】
【技術分野】
【０００１】
本発明の実施形態は、二次電池及びその製造方法、二次電池に適用されるキャッププレート及びその製造方法、及び密封ユニットに係り、特に、電解液注入ホールの密封構造が改善された二次電池等に関する。
【背景技術】
【０００２】
二次電池は、充電可能な電池をいい、携帯電話、ノート型パソコン、カムコーダなどの携帯型電子機器分野で広く使われている。
【０００３】
これらの二次電池は、一般的に、ケースの開放部を通じて挿入された電極組立体を含むベアセルを備える。その開放部はキャッププレートで閉じられており、そのベアセルのキャッププレート上に設けられた保護回路モジュールは二次電池の充電及び放電を制御する。前記キャッププレートには、前記ケース内部に電解液を注入するための注入ホールが設けられていて、キャッププレートをケース開放部に設置した後、その注入ホールを通じて電解液を注入する。そして、電解液注入後には適切な密封部材を使用して注入ホールを封止し、次いで、モールディング用樹脂を利用して保護回路モジュールをキャッププレート上に設ける。
【０００４】
一般的に、密封部材は、所定ボールをキャッププレートの注入ホール入口に当ててその内側に向けて圧着変形させて注入ホールを封止する構造がほとんどであったが、このような圧着変形による方法では、密封部材の上部はキャッププレート上に突出した状態で固定される。このようにキャッププレート上に密封部材が突出すれば、その突出した部位のために保護回路モジュールをキャッププレートに密着させて設置できなくなるので、二次電池の小型化、すなわち、体積利用率を極大化するのに障害になりうる。しかも、最近はさらに厳しい密封精度のために、密封部材上に紫外線硬化剤などのコーティング部材をさらに塗布する傾向であるため、突出程度がさらに著しくなりうる。したがって、これらの問題を回避できる密封構造が必要である。
【発明の概要】
【発明が解決しようとする課題】
【０００５】
本発明は、上記の必要性を鑑みて小型化に有利に密封構造が改善された二次電池及びその製造方法、二次電池に適用されるキャッププレート及びその製造方法、及び密封ユニットを提供する。
【課題を解決するための手段】
【０００６】
本発明の実施形態による二次電池は、電極組立体と、前記電極組立体を収容するケースと、前記ケース内に電解液を注入するための注入ホールを備えると共に前記ケースをカバーするためのキャッププレートと、前記注入ホールを密封するための密封ユニットと、を備え、前記密封ユニットの上端は、前記キャッププレートの外部面と同一面上に整列されるか、または前記キャッププレートの外部面より低く配置されて、前記キャッププレートの外部面上に突出せず、前記密封ユニットは、前記注入ホールに挿入される密封部材と、前記密封部材上にコーティングされたコーティング部材を備える。
【０００７】
一実施形態において、前記キャッププレートは、前記密封ユニットが収容される段差部を備え、前記段差部は、前記注入ホールの開口部と前記キャッププレートの外部面との間で前記注入ホールの開口部を取り囲み、前記密封部材は、前記注入ホールに挿入されるボディ部と、前記ボディ部が前記注入ホールに挿入されるとき、前記段差部に密着するように前記ボディ部と一体に形成されたヘッド部と、を備える。
【０００８】
一実施形態において、前記コーティング部材は、前記密封部材と前記注入ホールとの間の隙間を埋め込むように前記密封部材上に形成される。
【０００９】
例えば、前記コーティング部材は硬化樹脂を含む。
【００１０】
一実施形態において、前記段差部は、前記注入ホールの周囲に凹状に形成された陥没溝を備え、前記密封部材の前記ヘッド部は前記陥没溝に嵌まり込む。
【００１１】
例えば、前記二次電池は、前記キャッププレートの外部面上に配置される保護回路モジュールをさらに備える。
【００１２】
本発明の他の側面による二次電池の製造方法は、電解液を注入するための注入ホールが形成されたキャッププレートを用意する工程と、前記注入ホールの開口部と前記キャッププレートの外部面との間で前記注入ホールの開口部周辺に段差部を形成する工程と、前記キャッププレートを電極組立体が収容されたケースに結合させる工程と、前記注入ホールを通じて前記ケース中へ電解液を注入する工程と、前記キャッププレートの外部面上に突出しないように密封ユニットを前記段差部に設けて前記注入ホールを密封する工程と、を含む。
【００１３】
一実施形態において、前記密封ユニットは密封部材を備え、前記密封部材は、前記注入ホールに挿入されるボディ部と、前記密封部材が前記キャッププレートの外部面上に突出せず、前記段差部に密着するように前記ボディ部と一体に形成されたヘッド部と、を備える。
【００１４】
一実施形態において、前記注入ホールを密封する工程は、前記密封部材と前記注入ホールとの間の隙間を埋め込むコーティング部材を前記密封部材上に塗布する工程を含む。
【００１５】
一実施形態において、前記コーティング部材が前記キャッププレートの外部面上に突出しないように、前記キャッププレートの外部面上に突出した前記コーティング部材の一部を磨き出す工程をさらに含む。
【００１６】
一実施形態において、前記密封部材上に塗布する工程は、前記キャッププレートの外部面上に突出しないように前記コーティング部材を前記密封部材上に塗布する工程を含む。
【００１７】
例えば、前記コーティング部材は硬化樹脂を含む。
【００１８】
一実施形態において、前記段差部は、前記注入ホール周囲に凹状に形成された陥没溝を備え、前記密封ユニットが前記段差部内に設けられるとき、前記密封部材の前記ヘッド部は前記陥没溝に嵌まり込み且つ結合される。
【００１９】
一実施形態において、前記二次電池の製造方法は、前記キャッププレートの外部面上に保護回路モジュールを装着する工程をさらに含む。
【００２０】
本発明のさらに他の側面によるキャッププレートの製造方法は、二次電池のケースをカバーするためのキャッププレートの製造方法であって、前記キャッププレートを貫通して形成された注入ホールの開口部周辺に段差部を形成する工程であって、前記段差部は平坦でない底面を持つように形成され、前記段差部は、前記注入ホールの開口部と前記キャッププレートの外部面との間から延びる段差部を形成する工程と、密封ユニットを利用して前記開口部を密封する工程と、を含む。
【００２１】
一実施形態において、前記段差部の前記底面は凹状を持つ。
【００２２】
例えば、前記密封ユニットは、硬化樹脂を含むコーティング部材を備える。
【００２３】
本発明のさらに他の側面によるキャッププレートは、二次電池の電極組立体を収容するケースをカバーするためのキャッププレートであって、電解液をケース内に注入するための注入ホールを持つ部分と、前記注入ホールの開口部とキャッププレートの外部面との間で、注入ホールの開口部周辺に形成された段差部と、を備え、前記段差部は平坦でない底面を持つ。
【００２４】
例えば、前記段差部の底面は凹状を持つ。
【００２５】
本発明のさらに他の側面による密封ユニットは、二次電池のケースをカバーするためのキャッププレートを貫通して形成され、電解液を前記ケース内に注入するための注入ホールを密封するための密封ユニットであって、前記注入ホールに挿入されるものであって、前記密封ユニットの上端が前記キャッププレートの外部面と同一面上に整列されるか、または前記キャッププレートの外部面より低く配置されて、前記密封ユニットを前記キャッププレートの外部面上に突出させない密封部材と、前記密封部材と前記注入ホールとの間の隙間を密封するために、前記密封部材上に塗布されたコーティング部材と、を備える。
【００２６】
一実施形態において、前記密封部材は、前記注入ホールに挿入されるボディ部と、前記ボディ部が前記注入ホールに挿入されるとき、前記キャッププレートの段差部に密着するように前記ボディ部と一体に形成されたヘッド部と、を備え、前記段差部は前記注入ホールの開口部を取り囲み、前記開口部と前記キャッププレートの外部面との間に位置する。
【００２７】
一実施形態において、前記ヘッド部の接触面は、前記段差部の凹状に対応する凸状を持つ。
【００２８】
例えば、前記コーティング部材は硬化樹脂を含む。
【発明の効果】
【００２９】
本発明による二次電池及びその製造方法、二次電池に適用されるキャッププレート及びその製造方法、及び密封ユニットによれば、キャッププレート上に密封ユニットが突出しなくなるので、保護回路モジュールなどのキャッププレートに隣接する部品が密着して設置できるので、装置の小型化を具現して体積利用率の向上を図ることができる。
【図面の簡単な説明】
【００３０】
【図１】本発明の一実施形態による二次電池の構造を示す図面である。
【図２Ａ】図１に図示された二次電池の電解液注入ホールの密封ユニットを示す図面である。
【図２Ｂ】図１に図示された二次電池の電解液注入ホールの密封ユニットを示す図面である。
【図３】本発明の他の実施形態による二次電池の電解質注入ホールの密封ユニットを示す図面である。
【発明を実施するための形態】
【００３１】
以下、添付した図面を参照して一実施形態による二次電池及びその製造方法と、前記二次電池に適用されるキャッププレートとその製造方法及び密封ユニットについて説明する。
【００３２】
図１は、本発明の一実施形態による二次電池の構造を示す図面である。図示されたように、本実施形態の二次電池は、正極１１、負極１２及びセパレータ１３が備えられた電極組立体１０と、キャッププレート３０を収容するケース２０と、このケース２０の開放部に結合されるキャッププレート３０などを備えている。したがって、ケース２０の開放部を通じて電極組立体１０を挿入して前記キャッププレート３０でケース２０の開放部を覆えば、電極組立体１０を安全に収容したベアセルが用意される。参照符号３１は絶縁ケース、３２は端子プレート、３３は絶縁プレート、３５は電極端子、３４はガスケットをそれぞれ示し、これらは前記キャッププレート３０と一体に組み立てられたキャップ組立体であって、ケース２０の開放部にキャッププレート３０と共に結合される。そして、図示されてはいないが、このキャッププレート３０上に二次電池の充電及び放電を制御する保護回路モジュールが設けられる。
【００３３】
一方、前記キャッププレート３０には、ケース２０の内部に電解液を注入するための注入ホール３６が設けられていて、キャッププレート３０をケース２０開放部に設置した後、その注入ホール３６を通じて電解液を注入する。そして、参照符号４０は、電解液注入後に注入ホール３６を封止する密封ユニットを示すが、この密封ユニット４０は、図２Ａ及び図２Ｂを参照して詳細に説明する。
【００３４】
図２Ａ及び図２Ｂを参照すれば、密封ユニット４０は注入ホール３６に挿入される密封部材４１と、その密封部材４１上に塗布されて注入ホール３６と密封部材４１と間の隙間を埋め込むコーティング部材４２とを備えている。
【００３５】
まず、前記密封部材４１は、注入ホール３６に挿入されるボディ部４１ａ及びそのボディ部４１ａに連結されたヘッド部４１ｂを備える。したがって、ボディ部４１ａは、注入ホール３６を直接封止する役割を果たし、ヘッド部４１ｂは、キャッププレート３０の注入ホール３６の入口周辺を覆って電解液の漏れを防止する役割を果たす。前記密封部材４１は、金属素材（例えば、アルミニウム）、合成樹脂、複合素材（コーティング部材が塗布されたアルミニウム）からなりうる。そして、キャッププレート３０の注入ホール３６の周辺には凹状の段差部３７が形成されていて、密封部材４１がこの段差部３７内に設けられるように構成されている。すなわち、密封部材４１を段差部３７内に入れて設けて、キャッププレート３０上に突出しないようにしたものである（例えば、密封ユニット４０がキャッププレート３０の外部面上に突出しない）。また、前記段差部３７内には、注入ホール３６の周囲に沿って凹状に陥没している陥没溝３７ａが形成されており、前記密封部材４１のヘッド部４１ｂもこの陥没溝３７ａに嵌まり込む形状になっている。このように陥没溝３７ａを設ければ、段差部が単純に平坦な形態である場合に比べて、密封部材４１のヘッド部４１ｂとキャッププレート３０間の接触面積が広くなるので、密封効果がさらに向上する。
【００３６】
そして、前記コーティング部材４２は紫外線硬化樹脂や熱硬化樹脂のような硬化樹脂であって、前記密封部材４１上に塗布されて注入ホール３６と密封部材４１との間の隙間を埋め込む役割を果たす。このコーティング部材４２も密封部材４１上に塗布されるものであるため、密封ユニット４０におけるケース２０の反対側高さを高めるようになるが、コーティング部材４２の上端がキャッププレート３０の外部面と同一面上に整列されるか、又はキャッププレート３０外部面上に突出せずに段差部３７内に入るように、すなわち、キャッププレート３０の厚さ内に収容されるように塗布厚さを調節する。さらに、または代替的に、コーティング部材４２の一部が研磨されてなくなることによって、コーティング部材４２がキャッププレート３０の外部面上に突出しない。
【００３７】
このようにすれば、電解液の漏れが安定的に防止されつつキャッププレート３０上に突出する部位が存在しないので、保護回路モジュールのような隣接部品が密着設置できる構造を具現できる。
【００３８】
図３は、本発明のさらに他の実施形態による密封ユニット５０とキャッププレート６０とを示す。図３を参照すれば、密封ユニット５０は、注入ホール６６に挿入される密封部材５１と、密封部材５１上に塗布されて注入ホール６６と密封部材５１との間の隙間を埋め込むコーティング部材５２とを備える。
【００３９】
前記密封部材５１は、注入ホール６６に挿入されるボディ部５１ａと、前記ボディ部５１ａと一体に形成されたヘッド部５１ｂとを備える。したがって、前記ボディ部５１ａは、キャッププレート６０の注入ホール６６を直接密封し、前記ヘッド部５１ｂは、電解液の漏れを防止するために注入ホール６６の開口部周辺領域をカバーする。
【００４０】
前記密封部材５１は、金属素材（例えば、アルミニウム）、合成樹脂、または複合素材（例えば、コーティング部材が塗布されたアルミニウム）からなりうる。付加的に、前記段差部６７は、キャッププレート６０の注入ホール６６の周辺に形成され、前記密封部材５１は、段差部６７に設けられうる。すなわち、前記密封部材５１は段差部６７内に挿入されて、密封ユニット５０はキャッププレート６０上に突出されない。例えば、前記密封ユニット５０はキャッププレート６０の外部面上に突出されない。
【００４１】
また、段差部６７の接触面６７ａは注入ホール６６の周囲に形成され、平坦に形成されうる。このとき、前記密封部材５１のヘッド部５１ｂは前記接触面６７ａに嵌まり込む。すなわち、段差部６７の接触面６７ａは平坦であり、これは図２Ｂに図示された陥没溝３７ａと異なるものである。したがって、密封部材５１は平坦な接触面６７ａを持つ段差部６７内へ挿入され、密封ユニット５０はキャッププレート６０の外部面上に突出しない。ただし、段差部６７の接触面６７ａが平坦であると図示されているが、段差部６７の接触面６７ａはキャッププレート６０の外部面に対して傾斜していてもよい。
【００４２】
前記のような構造の二次電池は、例えば、次のような方法で製造されうる。
【００４３】
まず、電解液注入ホール３６、６６が設けられたキャッププレート３０、６０を用意して、注入ホール３６、６６の入口周辺に段差部３７、６７を形成する。このとき、段差部３７、６７はその後に設けられる密封ユニット４０、５０の高さを鑑みて、これをいずれも収容できる深さで形成される。
【００４４】
さらに、図２Ａ及び図２Ｂに図示された本発明の一実施形態によれば、段差部３７は陥没溝３７ａを備えるように形成される。図３に図示された他の実施形態によれば、段差部６７は陥没溝なしに形成され、段差部６７の接触面６７ａは平坦である。
【００４５】
次いで、このキャッププレート３０、６０を電極組立体１０が収容されたケース２０に結合させ、前記注入ホール３６、６６を通じてケース２０内へ電解液を注入する。
【００４６】
次いで、前記段差部３７、６７に密封ユニット４０、５０を設置するが、特に密封部材４１、５１のボディ部４１ａ、５１ａを注入ホール３６、６６に差し込んで、ヘッド部４１ｂ、５１ｂを陥没溝３７ａまたは段差部６７の接触面６７ａに完全に密着させる。次いで、コーティング部材４２、５２である硬化樹脂を密封部材４１、５１上に塗布し、かつ硬化させて隙間を完全に封止する。これで電解液の漏れを安定的に防止しつつも、キャッププレート３０、６０上に突出する部位のない構造を製造できる。したがって、このキャッププレート３０、６０上に保護回路モジュール（図示せず）などをコンパクトに設けることができる。
【００４７】
一方、前記のように密封ユニット４０、５０をキャッププレート３０、６０の外に突出させないために、段差部３７、６７を形成するときにあらかじめ密封ユニット４０、５０の高さに鑑みて十分に深く形成してもよいが、密封ユニット４０、５０の設置後にもしキャッププレート３０、６０の外に突出した部位があれば、これを磨き出す過程（グラインディング）をさらに経るようにしてもよい。すなわち、密封部材４１、５１は段差部３７、６７に合うように予め製作されるものであって、段差部３７、６７を外れないように設計的に容易に嵌まり込ませることができるが、コーティング部材４２、５２は塗布厚さに偏差が大きいので、さらに突出した部位を磨き出す過程を持って密封ユニット４０、５０の突出部位をさらに安全に除去してもよい。これにより、密封ユニット４０、５０の上端は、キャッププレート３０、６０の外部面と同一面上に整列されるか、またはキャッププレート３０、６０の外部面より低く配置されて、キャッププレート３０、６０の外部面上に突出しないようになる。コーティング部材４２、５２は硬化樹脂であるため、一般的な工具を利用して容易に磨き出すことができる。
【００４８】
以上で説明したような構成によれば、キャッププレート３０、６０の外部面上に密封ユニット４０、５０が突出しなくなるので、保護回路モジュールなどの隣接部品を密着して設置できるので、装置の小型化を具現して体積利用率の向上を図ることができる。
【産業上の利用可能性】
【００４９】
本発明の二次電池は、携帯電話、ノート型パソコン、カムコーダなどの携帯型電子機器分野で広く使われる。
【符号の説明】
【００５０】
１０  電極組立体
２０  ケース
３０  キャッププレート
３７  段差部
４０  密封ユニット
４１  密封部材
４２  コーティング部材
【図１】
2011086622.tif 000003
【図２Ａ】
2011086622.tif 000004
【図２Ｂ】
2011086622.tif 000005
【図３】
2011086622.tif 000006